(57)【要約】【課題】部品を追加したり構造を大きくしたりすることなく、締結部に発生する大荷重を逃すことが可能なアクセサリー取り付け部品を提供すること。【解決手段】アクセサリー取り付け部品の本体との締結部のうち、最も最初に荷重を受ける箇所を弾性変形可能な形状とする。また、弾性変形した上で撮像装置本体の他の箇所と接触して複数点で荷重を受けられるようにする。これにより、本体とアクセサリー取り付け部品との締結部のみに大きな荷重がかかることがないようにする。【選択図】図５ｄ
2016102846.tif 000002
【特許請求の範囲】
【請求項１】
撮像装置本体に締結部材で締結される箇所を有するアクセサリー取り付け部品であって、前記アクセサリー取り付け部品は把持部材を取り付け可能で、前記把持部材は、前記アクセサリー取り付け部品を介して撮像装置本体に取り付けられ、上記構成を有する把持部材を取り付け可能なアクセサリー取り付け部品において、
前記把持部材を利用して支持する際に、撮像装置本体に締結される締結部のうち最初に荷重がかかる箇所を弾性変形可能な形状と撮像装置本体の一部と接触して前記締結部と合わせて複数点で前記荷重を受けるような形状を有することを特徴とするアクセサリー取り付け部品。
【請求項２】
弾性変形可能な部材で構成されることを特徴とする請求項１に記載のアクセサリー取り付け部品。
【発明の詳細な説明】
【技術分野】
【０００１】
本発明は、撮像装置本体に把持部材を取り付け可能なアクセサリー取り付け部品に関する。
【背景技術】
【０００２】
業務用の撮像装置において、把持部材が撮像装置本体と締結部で締結されて着脱可能なものが存在する。業務用の撮像装置は交換レンズ、リグ等を取り付けて運用される。それらを取り付けた場合の重量は非常に大きく、前記着脱可能な把持部材を利用して一連の機材を一度に持ち上げた場合、非常に大きな荷重が締結部に発生する。そのため、一連の機材を持ち運ぼうとするためには、締結部に集中する荷重を分散することが求められる。
【０００３】
締結部に発生する大荷重を逃がす構造として、撮像装置以外では特許文献１のような構造が知られている。特許文献１では、図６に示すように締結部材と被締結部材との間にばね座金を弾圧させ、発生した大荷重をばね座金の変位によって吸収している。
【先行技術文献】
【特許文献】
【０００４】
【特許文献１】特許第３７６５４７８号公報
【発明の概要】
【発明が解決しようとする課題】
【０００５】
図６に示すような構造を撮像装置に適用した場合、ばね座金を追加するためにコストが増加する。また、ばね座金を追加するために構造を大きくしなくてはならないという問題が生じる。
【０００６】
本発明の目的は、部品を追加したり構造を大きくしたりすることなく、締結部に発生する大荷重を逃すことが可能なアクセサリー取り付け部品を提供することにある。
【課題を解決するための手段】
【０００７】
上記の目的を達成するために、本発明のアクセサリー取り付け部品は、撮像装置本体に該アクセサリー取り付け部品を接続した後に、アクセサリー取り付け部品に把持部材を接続可能であり、撮像装置本体に該アクセサリー取り付け部品と把持部材を接続した状態で作業者が把持部材を持ち上げた際に、撮像装置本体と該アクセサリー取り付け部品の接続部の内で最初に荷重を受ける接続部に弾性変形可能な構造を有することを特徴とする。
【発明の効果】
【０００８】
本発明によれば、部品を追加したり構造を大きくしたりすることなく、締結部に発生する大荷重を逃すことが可能なアクセサリー取り付け部品の提供を実現できる。
【図面の簡単な説明】
【０００９】
【図１ａ】本発明が実施された撮像装置本体の斜視図
【図１ｂ】本発明が実施された撮像装置本体の斜視図
【図２ａ】本発明が実施されたアクセサリー取り付け部品の外観斜視図
【図２ｂ】本発明が実施されたアクセサリー取り付け部品の外観斜視図
【図２ｃ】本発明が実施されたアクセサリー取り付け部品を撮像装置の底面側から見た図
【図３ａ】把持部材の外観斜視図
【図３ｂ】把持部材の外観斜視図
【図４ａ】撮像装置本体にアクセサリー取り付け部品を取り付ける際の様子を示した斜視図
【図４ｂ】撮像装置本体にアクセサリー取り付け部品を取り付けた後の様子を示した斜視図
【図４ｃ】撮像装置本体にアクセサリー取り付け部品を取り付けた後の様子を天面側から見た図
【図４ｄ】撮像装置本体にアクセサリー取り付け部品を取り付けた後の様子を正面から見た図
【図４ｅ】図４ｃのＣ−Ｃ’断面図
【図４ｆ】図４ｄのＤ−Ｄ’断面図
【図４ｇ】図４ｄのＥ−Ｅ’断面図
【図５ａ】撮像装置本体にアクセサリー取り付け部品が接続された状態で、把持部材を取り付ける際の様子を示した斜視図
【図５ｂ】撮像装置本体にアクセサリー取り付け部品が接続された状態で、把持部材を取り付けた後の様子を示した斜視図
【図５ｃ】撮像装置本体にアクセサリー取り付け部品、把持部材を取り付けられた状態の正面図
【図５ｄ】図５ｃのＧ−Ｇ’断面図
【図６】従来技術を示す図
【発明を実施するための形態】
【００１０】
以下、本発明の実施形態について説明する。
【００１１】
図１ａは本発明が実施された撮像装置本体の前方から見た外観斜視図、図１ｂは本発明が実施された撮像装置本体の後方斜視図である。図２ａは本発明が実施されたアクセサリー取り付け部品２の前方からの外観斜視図、図２ｂは本発明が実施されたアクセサリー取り付け部品２の後方からの外観斜視図、及び、図２ｃは本発明が実施されたアクセサリー取り付け部品２の下方からの外観正面図である。また、図３ａは把持部材３の前方からの外観斜視図、図３ｂは把持部材３の後方からの外観斜視図である。
【００１２】
図１ａ及び図１ｂに示すように本発明が実施された撮像装置１は、交換レンズを接続可能なマウント部１１、図示されていない交換レンズが接続された際のロック機構を解除して交換レンズを取り外し可能にするレンズリリースボタン１２、作業者が操作可能な第一の操作部群１３、操作ボタン１１０、操作ボタン１１１，第二の操作部群１１２、前記撮像装置１の電源ＯＦＦ及び撮影モードと再生モードとを切り換えるモード切り換えダイヤル１４、図示されていない撮像素子の前後方向位置を示すメジャーピン１５、ストラップを挿入可能な開口を有するストラップ取り付け金具１６１及び１６２を有する。
【００１３】
更に、撮像装置１は、接眼レンズを有する接眼ユニット１７、前記接眼ユニット１７に設けられ前記接眼ユニット１７に接近するのを検出する近接センサー部１７１、ネジ部１８１１を有する本発明のアクセサリー取り付け部品２との第一の接続部１８１、ネジ部１８２１を有する本発明のアクセサリー取り付け部品２との第二の接続部１８２、ネジ部１８３１を有する本発明のアクセサリー取り付け部品２との第三の接続部１８３、強制空冷の吸気口１９、撮影時の設定を表示する表示部１１３を有する。
【００１４】
更に、撮像装置１は、記録用のメディアを接続するメディアスロットを内部に有する第一のメディアスロット蓋部１１４１、第二のメディアスロット蓋部１１４２、前記撮像装置本体１に電源を供給するバッテリー接続部を内部に有するバッテリー蓋１１５、撮影された画像および音声を外部に出力する端子及び電源のＤＣ入力端子が並ぶ接続端子群を保護する保護カバー群１１６、強制空冷の排気口１１７、図示されていない着脱可能なグリップを接続するグリップ接続部１１８を有する。
【００１５】
図２ａ、図２ｂ、図２ｃに示すように、本発明が実施されたアクセサリー取り付け部品２は、丸穴を有する第一のヘコ座２１１、第二のヘコ座２１２、第三のヘコ座２１３、作業者がアクセサリーを取り付け可能な第一のネジ部２２１、第二のネジ部２２２、第三のネジ部２２３、第四のネジ部２２４、前記把持部材３を位置決めするヘコ部とネジ部を有する第一の把持部材接続部２３１、第二の把持部材接続部２３２、及び、前記第一の接続部２１１を含む前記アクセサリー取り付け部品２の一部を弾性変形可能な板ばね形状にするようなスリット２４を有する。
【００１６】
更に、アクセサリー取り付け部品２は、前記撮像装置１の前記第一の接続部１８１と接触する面を有する第一接触部２５１、前記撮像装置１の前記第二の接続部１８２と勘合する面２５２１及び面２５２２を有する第一の勘合部２５２、及び、前記撮像装置１の前記第三の接続部１８３と勘合する面２５３１及び面２５３２を有する第二の勘合部２５３、とを有する。
【００１７】
前記第一の勘合部２５２及び前記第二の勘合部２５３はいずれもＵ型の形状をしており前記面２５２１，２５２２，２５３１及び２５３２はいずれもストレートの面である。前記面２５２１と前記面２５２２は前記第二の接続部１８２を挟み込むように勘合しており、前記面２５３１と前記面２５３２は前記第三の接続部１８３を挟む込むように勘合している。
【００１８】
前記第一の勘合部２５２と前記第二の接続部１８２は前記面２５２１及び前記面２５２２のみで勘合しそれ以外の面は接触をしていない。同様に、前記第二の勘合部２５３と前記第三の接続部１８３は前記面２５３１及び前記面２５３２のみで勘合しそれ以外の面は接触をしていない。
【００１９】
図３ａ及び図３ｂに示すように把持部材３は、前記アクセサリー取り付け部品２との第一の接続部３１１、第二の接続部３１２、作業者がアクセサリーを取り付け可能な第五のネジ部３２１、第六のネジ部３２２、第七のネジ部３２３、第八のネジ部３２４、第九のネジ部３２５、第十のネジ部３２６、内側にアクセサリーを取り付け可能なネジ部を有する第一のアクセサリーシュー３３１、第二のアクセサリーシュー３３２、第三のアクセサリーシュー３３３を有する。
【００２０】
前記第一の接続部３１１及び前記第二の接続部３１２はいずれも穴部を有する。また、前記第一の接続部３１１は前記アクセサリー取り付け部品２の前記第一の把持部材接続部２３１、前記第二の接続部３１２は前記アクセサリー取り付け部品２の前記第二の把持部材接続部２３２にそれぞれ位置決めされる形状を有する。
【００２１】
次に本発明における前記撮像装置１と前記アクセサリー取り付け部品２の接続について説明する。図４ａは前記撮像装置１に前記アクセサリー取り付け部品２を取り付け作業時の状態を示した前方からの外観斜視図である。図４ｂは前記撮像装置１に前記アクセサリー取り付け部品２を取り付けた後の状態を示した前方からの外観斜視図、図４ｃは同状態の上方からの外観正面図、図４ｄは同状態の被写体側からの外観正面図である。図４ｅは図４ｃのＣ−Ｃ’断面図である。線Ｃ−Ｃ’は、第一の六角穴付きボルト４１１、第二の六角穴付きボルト４１２、第三の六角穴付きボルト４１３の各中心を通る。
【００２２】
図４ａ〜図４ｅに示すように、前記アクセサリー取り付け部品２は前記撮像装置１との第一接触部２５１で接触した状態である。その上で、前記第一の六角穴付きボルト４１１、前記第二の六角穴付きボルト４１２、前記第三の六角穴付きボルト４１３はそれぞれ、前記アクセサリー取り付け部品２に設けられた前記第一のヘコ座２１１、前記第二のヘコ座２１２、前記第三のヘコ座２１３の丸穴部を挿通されて、それぞれ前記撮像装置１に設けられた前記第一の接続部１８１のネジ部１８１１、前記第二の接続部１８２のネジ部１８２１、前記第三の接続部１８３のネジ部１８３１に螺合して接続される。
図４ｆは図４ｄのＤ−Ｄ’断面図、図４ｇは図４ｄのＥ−Ｅ’断面図である。図４ｆ及び図４ｇに示すように、図４ａ〜ｄに示す状態において前記撮像装置１の第二の接続部１８２及び第三の接続部１８３はそれぞれ、前記アクセサリー取り付け部品２に設けられた第一の勘合部２５２及び第二の勘合部２５３と勘合する。
【００２３】
これにより、前記アクセサリー取り付け部品２が荷重によるモーメントを受けると、前記第二の接続部１８２に対して前記第一の勘合部２５２内の前記面２５２１又は前記面２５２２、もしくは前記第三の接続部１８３に対して前記第二の勘合部２５３内の前記面２５３１又は前記面２５３２が接触することになる。
【００２４】
合わせて、前記アクセサリー部品取り付け部品２と前記把持部材３との接続について説明する。図５ａは、図４ｂに示した前記撮像装置１に前記アクセサリー取り付け部品２を取り付けた状態から更に前記把持部材３を前記アクセサリー取り付け部品２に取り付ける際の状態を示した図である。
【００２５】
図５ｂ及び図５ｃは図５ａに示した作業が完了し前記把持部材３が前記アクセサリー取り付け部品２に取り付いた状態の図である。図５ｄは図５ｃの線Ｇ−Ｇ’断面図である。図５ａ〜図５ｃに示すように前記把持部材３は前記アクセサリー取り付け部品２に対して、六角穴付きボルト５１１が前記第一の接続部３１１を挿通して前記第一の把持部材接続部２３１に締結され、六角穴付きボルト５１２が前記第二の接続部３１２を挿通して前記第二の把持部材接続部２３２に締結されることで接続される。本実施例では２箇所での接続であるが接続箇所は２箇所でなくても構わない。
【００２６】
次に図５ｄを用いて、図５ｂに示した状態で前記把持部材を引っ張りあげる方向に大荷重Ｆが加わった際に前記撮像装置１、前記アクセサリー取り付け部品２及び前記把持部材３で構成される系の挙動について説明する。前記把持部材３に大荷重Ｆが加わると、前記アクセサリー取り付け部品２及び前記把持部材３は前記アクセサリー取り付け部品２の前記第一の接触部２５１の稜線であるＳを支点として図に向かって時計まわりに回転しようとする。Ｓは、前記第一の接触部２５１の稜線のうち光軸に対して垂直で、かつ、大荷重Ｆから遠い側の稜線である。結果、まず前記六角穴付きボルト４１１を引き抜こうとする力が発生する。
【００２７】
しかし、前記アクセサリー取り付け部品２は、前記スリット２４により前記第一の接続部２１１を含む前記アクセサリー取り付け部品２の一部が弾性変形して前記六角穴付きボルト４１１に荷重が集中するのを回避しつつ前記把持部材３と一体となって回転しようとする。
【００２８】
前記アクセサリー取り付け部品２は前記撮像装置１に対して前記接触面２５１で接触し、前記面２５２１，２５２２，２５３１及び２５３２で勘合しているだけである。また、図５ｄに示すように前記アクセサリー取り付け部品の第二のヘコ座２１２の中心及び第三のヘコ座２１３中心に対してＳは光軸方向で後方にある。
【００２９】
そのためＳを中心として図に向かって時計回りに回転しようとすると、前記ネジ部１８２１を有する第二の接続部１８２と前記第一の勘合部２５２の前記面２５２２が接触し、かつ、前記ネジ部１８３１を有する第三の接続部１８３と前記第一の勘合部２５３の前記面２５３２が接触することになる。
【００３０】
つまり、前記スリット２４によって前記アクセサリー取り付け部品２の前記第一の接続部２１１を含む一部が弾性変形することで、大荷重Ｆを前記六角穴付きボルト４１１、前記第一の接続部１８２、及び前記第二の接続部１８３で受けることになり、荷重が前記六角穴付きボルト４１１に応力が集中するのを避けることが可能となる。
【００３１】
この時の前記第一の接続部２１１を含む前記アクセサリー取り付け部品２の一部の変形量は、弾性変形可能な量であり、かつ、前記第一の勘合部２５２の前記面２５２１及び前記第二の勘合部２５３の前記面２５３１がそれぞれ前記第二の接続部１８２及び前記第三の接続部１８３に対して接触可能に前記アクセサリー取り付け部品２が回転するような量となっている。
【００３２】
以上説明したように、前記スリット２４の効果によって大荷重Ｆが発生しても六角穴付きボルト４１１に荷重が集中するようなことはない。
【００３３】
また、本実施例では前記スリット２４により前記アクセサリー取り付け部品２の前記第一の接続部２１１を含む板ばね形状が片持ち梁となるような構造であったが、梁の方向は逆でも構わないし、両持ち梁となっても発明の効果を損なわない限りにおいて適用可能である。
【符号の説明】
【００３４】
１  撮像装置、１１  マウント部、１２  レンズリリースボタン、
１３  第一の操作部群、１４  モード切り換えダイヤル、１５  メジャーピン、
１６１，１６２  ストラップ取り付け金具、１７  接眼ユニット、
１８１  アクセサリー取り付け部品２との第一の接続部、
１８２  アクセサリー取り付け部品２との第二の接続部、
１８３  アクセサリー取り付け部品２との第三の接続部、
１８１１，１８２１，１８３１  ネジ部、１９  強制空冷の吸気口、
１１０，１１１  操作ボタン、１１２  第二の操作部群、１１３  表示部、
１１４１  第一のメディアスロット蓋部、１１４２  第二のメディアスロット蓋部、
１１５  バッテリー蓋、１１６  保護カバー群、１１７  強制空冷の排気口、
１１８  グリップ接続部、２  アクセサリー取り付け部品、
２１１  丸穴を有する第一のヘコ座、２１２  丸穴を有する第二のヘコ座、
２１３  丸穴を有する第三のヘコ座、２２１  第一のネジ部、
２２２  第二のネジ部、２２３  第三のネジ部、２２４  第四のネジ部、
２３１  第一の把持部材接続部２３１、２３２  第二の把持部材接続部２３２、
２４  スリット、２５１  第一の接触部、２５２  第一の勘合部、
２５２１，２５２２  第一の勘合部２５２の面、２５３  第二の勘合部、
２５３１，２５３２  第二の勘合部２５３の面、３  把持部材、３１１  第一の接続部、
３１２  第二の接続部、３２１  第五のネジ部、３２２  第六のネジ部、
３２３  第七のネジ部、３２４  第八のネジ部、３２５  第九のネジ部、
３２６  第十のネジ部、
３３１  内側にアクセサリーを取り付け可能なネジ部を有する第一のアクセサリーシュー、
３３２  内側にアクセサリーを取り付け可能なネジ部を有する第二のアクセサリーシュー、
３３３  内側にアクセサリーを取り付け可能なネジ部を有する第三のアクセサリーシュー、
１１，４１２，４１３，５１１，５１２  六角穴付きボルト
【図１ａ】
2016102846.tif 000003
【図１ｂ】
2016102846.tif 000004
【図２ａ】
2016102846.tif 000005
【図２ｂ】
2016102846.tif 000006
【図２ｃ】
2016102846.tif 000007
【図３ａ】
2016102846.tif 000008
【図３ｂ】
2016102846.tif 000009
【図４ａ】
2016102846.tif 000010
【図４ｂ】
2016102846.tif 000011
【図４ｃ】
2016102846.tif 000012
【図４ｄ】
2016102846.tif 000013
【図４ｅ】
2016102846.tif 000014
【図４ｆ】
2016102846.tif 000015
【図４ｇ】
2016102846.tif 000016
【図５ａ】
2016102846.tif 000017
【図５ｂ】
2016102846.tif 000018
【図５ｃ】
2016102846.tif 000019
【図５ｄ】
2016102846.tif 000020
【図６】
2016102846.tif 000021